(57)【要約】【課題】扉を円滑に移動させることができると共に、完全開扉位置における扉の激突を防止し得る跳ね上げ式門扉を提供すること。【解決手段】跳ね上げ式門扉１は、アーム手段４及び５の回動による扉６の完全開扉直前位置から完全開扉位置に向かう跳ね上げ方向の移動に抗する抵抗力を扉６に付与する抵抗力付与手段１０を具備しており、抵抗力付与手段１０は、扉６の跳ね上げ方向の移動に抗する抵抗力を生じる抵抗力発生機構２１と、抵抗力発生機構２１に扉６の完全開扉直前位置から完全開扉位置に向かう跳ね上げ方向の移動に抗する抵抗力を生じさせるべく完全開扉直前位置から跳ね上げ方向に移動する扉６と抵抗力発生機構２１とを連結状態にする一方、完全開扉直前位置よりも完全閉扉位置側に位置する扉６と抵抗力発生機構２１とを非連結状態にする連結機構２２とを具備している。【選択図】図１
2010037862.tif 000002
【特許請求の範囲】
【請求項１】
支柱と、この支柱に一端部で鉛直面内で回動自在に支持されたアーム手段と、このアーム手段の他端部に取り付けられており、アーム手段の一方の方向の回動により完全開扉位置に向かって跳ね上げ方向に移動する一方、アーム手段の他方の方向の回動により完全閉扉位置に向かって下げ方向に移動する扉と、この扉の完全開扉直前位置から完全開扉位置に向かう跳ね上げ方向の移動に抗する抵抗力を扉に付与する抵抗力付与手段とを具備しており、抵抗力付与手段は、扉の跳ね上げ方向の移動に抗する抵抗力を生じる抵抗力発生機構と、この抵抗力発生機構に扉の完全開扉直前位置から完全開扉位置に向かう跳ね上げ方向の移動に抗する抵抗力を生じさせるべく完全開扉直前位置から跳ね上げ方向に移動する扉と抵抗力発生機構とを連結状態にする一方、完全開扉直前位置よりも完全閉扉位置側に位置する扉と抵抗力発生機構とを非連結状態にする連結機構とを具備している跳ね上げ式門扉。
【請求項２】
扉及びアーム手段の自重に抗する跳ね上げ方向の弾性力をアーム手段に付与する弾性力付与手段を具備している請求項１に記載の跳ね上げ式門扉。
【請求項３】
抵抗力発生機構は、一方の隙間形成体と、この一方の隙間形成体に対して相対的に回転自在であると共に当該一方の隙間形成体と協同して隙間を形成している他方の隙間形成体と、一方の隙間形成体と他方の隙間形成体とによって形成された隙間に収容されていると共に当該他方の隙間形成体の当該一方の隙間形成体に対する相対的な回転により抵抗力を生じる粘性体とを具備しており、連結機構は、回転により他方の隙間形成体を回転させるように当該他方の隙間形成体に取り付けられている歯車と、扉が完全開扉直前位置に位置した際に歯車に歯合する一方、扉が完全開扉直前位置よりも完全閉扉位置側に位置した際に前記歯合が解除されるようにアーム手段に取り付けられている歯列部材とを具備しており、歯列部材は、扉の完全開扉直前位置から完全開扉位置に向かう跳ね上げ方向の移動に抗する抵抗力を抵抗力発生機構に生じさせるべく、歯車との歯合状態においてアーム手段の一方の方向の回動を回転力として当該歯車に伝達するように配されている請求項１又は２に記載の跳ね上げ式門扉。
【請求項４】
抵抗力発生機構は、アーム手段の一方の方向の回動に基づく歯車の一方の方向の回転を他方の隙間形成体に伝達するように歯車と他方の隙間形成体を連結する一方、アーム手段の他方の方向の回動に基づく歯車の他方の方向の回転により前記連結を解除するように歯車と他方の隙間形成体との間に介在されている一方向クラッチを具備している請求項３に記載の跳ね上げ式門扉。
【請求項５】
歯車は、他方の隙間形成体に固着されていると共に周縁に複数の歯を有している歯車部材と、この歯車部材の歯よりも歯車の回転方向において変位して配された複数の歯を周縁に有していると共に当該歯車の回転方向において歯車部材に対して可動となるように当該歯車部材に隣接している可動歯車部材と、アーム手段の一方の方向の回動に基づく歯車の回転方向とは逆の回転方向に向かって可動歯車部材を弾性的に付勢する付勢手段とを具備している請求項３又は４に記載の跳ね上げ式門扉。
【請求項６】
付勢手段は、歯車部材及び可動歯車部材のうちの一方に設けられていると共に歯車部材及び可動歯車部材のうちの他方に向かって突出しているピンと、アーム手段の一方の方向の回動に基づく歯車の回転方向とは逆の回転方向に向かってピンを弾性的に付勢するように歯車部材及び可動歯車部材のうちの他方に設けられている付勢部材とを具備している請求項５に記載の跳ね上げ式門扉。
【請求項７】
抵抗力付与手段は、扉の下げ方向の移動に抗する抵抗力を生じる他の抵抗力発生機構と、この他の抵抗力発生機構に扉の完全閉扉直前位置から完全閉扉位置に向かう下げ方向の移動に抗する抵抗力を生じさせるべく完全閉扉直前位置から下げ方向に移動する扉と他の抵抗力発生機構とを連結状態にする一方、完全閉扉直前位置よりも完全開扉位置側に位置する扉と他の抵抗力発生機構とを非連結状態にする他の連結機構とを更に具備しており、他の抵抗力発生機構は、一方の隙間形成体と、この一方の隙間形成体に対して相対的に回転自在であると共に当該一方の隙間形成体と協同して隙間を形成している他方の隙間形成体と、他の抵抗力発生機構の一方の隙間形成体と他の抵抗力発生機構の他方の隙間形成体とによって形成された隙間に収容されていると共に当該他方の隙間形成体の当該一方の隙間形成体に対する相対的な回転により抵抗力を生じる粘性体とを具備しており、他の連結機構は、回転により他の抵抗力発生機構の他方の隙間形成体を回転させるように当該他方の隙間形成体に取り付けられている歯車と、扉が完全閉扉直前位置に位置した際に他の連結機構の歯車に歯合する一方、扉が完全閉扉直前位置よりも完全開扉位置側に位置した際に前記歯合が解除されるようにアーム手段に取り付けられている歯列部材とを具備しており、他の連結機構の歯列部材は、扉の完全閉扉直前位置から完全閉扉位置に向かう下げ方向の移動に抗する抵抗力を他の抵抗力発生機構に生じさせるべく、他の連結機構の歯車との歯合状態においてアーム手段の他方の方向の回動を回転力として当該歯車に伝達するように配されている請求項１から６のいずれか一項に記載の跳ね上げ式門扉。
【請求項８】
他の抵抗力発生機構は、アーム手段の他方の方向の回動に基づく他の連結機構の歯車の一方の方向の回転を他の抵抗力発生機構の他方の隙間形成体に伝達するように当該歯車と当該他方の隙間形成体を連結する一方、アーム手段の一方の方向の回動に基づく他の連結機構の歯車の他方の方向の回転により前記連結を解除するように当該歯車と当該他方の隙間形成体との間に介在されている一方向クラッチを具備している請求項７に記載の跳ね上げ式門扉。
【請求項９】
他の連結機構の歯車は、他の抵抗力発生機構の他方の隙間形成体に固着されていると共に周縁に複数の歯を有している歯車部材と、この歯車部材の歯よりも他の連結機構の歯車の回転方向において変位して配された複数の歯を周縁に有していると共に当該歯車の回転方向において当該歯車部材に対して可動となるように当該歯車部材に隣接している可動歯車部材と、アーム手段の他方の方向の回動に基づく他の連結機構の歯車の回転方向とは逆の回転方向に向かって当該可動歯車部材を弾性的に付勢する付勢手段とを具備している請求項７又は８に記載の跳ね上げ式門扉。
【請求項１０】
他の連結機構の歯車の付勢手段は、他の連結機構の歯車の歯車部材及び可動歯車部材のうちの一方に設けられていると共に当該歯車の歯車部材及び可動歯車部材のうちの他方に向かって突出しているピンと、アーム手段の他方の方向の回動に基づく当該歯車の回転方向とは逆の回転方向に向かって当該ピンを弾性的に付勢するように当該歯車部材及び可動歯車部材のうちの他方に設けられている付勢部材とを具備している請求項９に記載の跳ね上げ式門扉。
【発明の詳細な説明】
【技術分野】
【０００１】
本発明は、車庫等の出入口に用いて好適な跳ね上げ式門扉に関する。
【背景技術】
【０００２】
【特許文献１】特開２００２−３４９１２７号公報
【０００３】
例えば、特許文献１においては、閉扉動作時におけるアーム手段の回動に抗する粘性抵抗力を生じさせる一方、開扉動作時におけるアーム手段の回動に抗する粘性抵抗力を生じさせない跳ね上げ式門扉が提案されている。
【発明の開示】
【発明が解決しようとする課題】
【０００４】
ところで、斯かる跳ね上げ式門扉では、扉を円滑に移動させることが望ましいが、開扉において扉が跳ね上げ方向に加速された場合には当該扉が完全開扉位置においてストッパ等に激突する虞がある。
【０００５】
本発明は、前記諸点に鑑みてなされたものであり、その目的とするところは、扉を円滑に移動させることができると共に、完全開扉位置における扉の激突を防止し得る跳ね上げ式門扉を提供することにある。
【課題を解決するための手段】
【０００６】
本発明の跳ね上げ式門扉は、支柱と、この支柱に一端部で鉛直面内で回動自在に支持されたアーム手段と、このアーム手段の他端部に取り付けられており、アーム手段の一方の方向の回動により完全開扉位置に向かって跳ね上げ方向に移動する一方、アーム手段の他方の方向の回動により完全閉扉位置に向かって下げ方向に移動する扉と、この扉の完全開扉直前位置から完全開扉位置に向かう跳ね上げ方向の移動に抗する抵抗力を扉に付与する抵抗力付与手段とを具備しており、抵抗力付与手段は、扉の跳ね上げ方向の移動に抗する抵抗力を生じる抵抗力発生機構と、この抵抗力発生機構に扉の完全開扉直前位置から完全開扉位置に向かう跳ね上げ方向の移動に抗する抵抗力を生じさせるべく完全開扉直前位置から跳ね上げ方向に移動する扉と抵抗力発生機構とを連結状態にする一方、完全開扉直前位置よりも完全閉扉位置側に位置する扉と抵抗力発生機構とを非連結状態にする連結機構とを具備している。
【０００７】
本発明の跳ね上げ式門扉によれば、特に、抵抗力付与手段は、扉の跳ね上げ方向の移動に抗する抵抗力を生じる抵抗力発生機構と、この抵抗力発生機構に扉の完全開扉直前位置から完全開扉位置に向かう跳ね上げ方向の移動に抗する抵抗力を生じさせるべく完全開扉直前位置から跳ね上げ方向に移動する扉と抵抗力発生機構とを連結状態にする一方、完全開扉直前位置よりも完全閉扉位置側に位置する扉と抵抗力発生機構とを非連結状態にする連結機構とを具備しているために、完全開扉直前位置及び完全閉鎖位置間に位置する扉と抵抗力発生機構とを非連結状態にすることができて、扉を円滑に移動させることができると共に、完全開扉直前位置から完全開扉位置に向かって跳ね上げ方向に移動する扉に対して抵抗力発生機構による抵抗力を付与することができて、完全開扉位置における扉の激突を防止し得る。
【０００８】
本発明の跳ね上げ式門扉の好ましい例では、扉及びアーム手段の自重に抗する跳ね上げ方向の弾性力をアーム手段に付与する弾性力付与手段を具備している。このような好ましい例によれば、扉をより円滑に移動させることができると共に、弾性力付与手段により跳ね上げ方向の移動が容易となった扉のストッパ等に対する激突を抵抗力付与手段によって防止することができる。
【０００９】
本発明の跳ね上げ式門扉の好ましい例では、抵抗力発生機構は、一方の隙間形成体と、この一方の隙間形成体に対して相対的に回転自在であると共に当該一方の隙間形成体と協同して隙間を形成している他方の隙間形成体と、一方の隙間形成体と他方の隙間形成体とによって形成された隙間に収容されていると共に当該他方の隙間形成体の当該一方の隙間形成体に対する相対的な回転により抵抗力を生じる粘性体とを具備しており、連結機構は、回転により他方の隙間形成体を回転させるように当該他方の隙間形成体に取り付けられている歯車と、扉が完全開扉直前位置に位置した際に歯車に歯合する一方、扉が完全開扉直前位置よりも完全閉扉位置側に位置した際に前記歯合が解除されるようにアーム手段に取り付けられている歯列部材とを具備しており、歯列部材は、扉の完全開扉直前位置から完全開扉位置に向かう跳ね上げ方向の移動に抗する抵抗力を抵抗力発生機構に生じさせるべく、歯車との歯合状態においてアーム手段の一方の方向の回動を回転力として当該歯車に伝達するように配されている。このような好ましい例によれば、扉の跳ね上げ方向の移動速度に依存した抵抗力を生じさせることができ、而して、完全開扉直前位置から完全開扉位置までにおいても扉を跳ね上げ方向に円滑に移動させることができると共に、当該扉の跳ね上げ方向の過度な移動速度に応じた大きな抵抗力を生じさせることができる。
【００１０】
本発明の跳ね上げ式門扉の好ましい例では、抵抗力発生機構は、アーム手段の一方の方向の回動に基づく歯車の一方の方向の回転を他方の隙間形成体に伝達するように歯車と他方の隙間形成体を連結する一方、アーム手段の他方の方向の回動に基づく歯車の他方の方向の回転により前記連結を解除するように歯車と他方の隙間形成体との間に介在されている一方向クラッチを具備している。このような好ましい例によれば、完全開扉直前位置及び完全開扉位置間における扉の跳ね上げ方向の移動に抗する抵抗力を生じさせる一方、当該扉の下げ方向の移動に抗する抵抗力を生じさせることをなくすことができ、而して、完全開扉直前位置及び完全開扉位置間における扉を下げ方向に円滑に移動させ得る。
【００１１】
本発明の跳ね上げ式門扉の好ましい例では、歯車は、他方の隙間形成体に固着されていると共に周縁に複数の歯を有している歯車部材と、この歯車部材の歯よりも歯車の回転方向において変位して配された複数の歯を周縁に有していると共に当該歯車の回転方向において歯車部材に対して可動となるように当該歯車部材に隣接している可動歯車部材と、アーム手段の一方の方向の回動に基づく歯車の回転方向とは逆の回転方向に向かって可動歯車部材を弾性的に付勢する付勢手段とを具備している。このような好ましい例によれば、扉の跳ね上げ方向の移動において、可動歯車部材を歯車部材に先んじて歯列部材に接触させ、当該可動歯車部材が歯列部材に押圧移動された後に、歯車部材を歯列部材に接触させることで、歯車と歯列部材との衝突音を減少させることができ、また、歯車と歯列部材との接触時におけるこれら各々に対する負担をも軽減させ得る。
【００１２】
本発明の跳ね上げ式門扉の好ましい例では、付勢手段は、歯車部材及び可動歯車部材のうちの一方に設けられていると共に歯車部材及び可動歯車部材のうちの他方に向かって突出しているピンと、アーム手段の一方の方向の回動に基づく歯車の回転方向とは逆の回転方向に向かってピンを弾性的に付勢するように歯車部材及び可動歯車部材のうちの他方に設けられている付勢部材とを具備している。
【００１３】
本発明の跳ね上げ式門扉の好ましい例では、抵抗力付与手段は、扉の下げ方向の移動に抗する抵抗力を生じる他の抵抗力発生機構と、この他の抵抗力発生機構に扉の完全閉扉直前位置から完全閉扉位置に向かう下げ方向の移動に抗する抵抗力を生じさせるべく完全閉扉直前位置から下げ方向に移動する扉と他の抵抗力発生機構とを連結状態にする一方、完全閉扉直前位置よりも完全開扉位置側に位置する扉と他の抵抗力発生機構とを非連結状態にする他の連結機構とを更に具備しており、他の抵抗力発生機構は、一方の隙間形成体と、この一方の隙間形成体に対して相対的に回転自在であると共に当該一方の隙間形成体と協同して隙間を形成している他方の隙間形成体と、他の抵抗力発生機構の一方の隙間形成体と他の抵抗力発生機構の他方の隙間形成体とによって形成された隙間に収容されていると共に当該他方の隙間形成体の当該一方の隙間形成体に対する相対的な回転により抵抗力を生じる粘性体とを具備しており、他の連結機構は、回転により他の抵抗力発生機構の他方の隙間形成体を回転させるように当該他方の隙間形成体に取り付けられている歯車と、扉が完全閉扉直前位置に位置した際に他の連結機構の歯車に歯合する一方、扉が完全閉扉直前位置よりも完全開扉位置側に位置した際に前記歯合が解除されるようにアーム手段に取り付けられている歯列部材とを具備しており、他の連結機構の歯列部材は、扉の完全閉扉直前位置から完全閉扉位置に向かう下げ方向の移動に抗する抵抗力を他の抵抗力発生機構に生じさせるべく、他の連結機構の歯車との歯合状態においてアーム手段の他方の方向の回動を回転力として当該歯車に伝達するように配されている。このような好ましい例によれば、完全閉扉直前位置及び完全開扉位置間に位置する扉と他の抵抗力発生機構とを非連結状態にすることができて、扉を円滑に移動させることができると共に、完全閉扉直前位置から完全閉扉位置に向かって下げ方向に移動する扉に対して他の抵抗力発生機構による抵抗力を付与することができて、完全閉扉位置における扉の激突を防止し得、しかも、扉の下げ方向の移動速度に依存した抵抗力を生じさせることができ、完全閉扉直前位置から完全閉扉位置までにおいても扉を下げ方向に円滑に移動させることができると共に、当該扉の下げ方向の過度な移動速度に応じた大きな抵抗力を生じさせることができる。
【００１４】
本発明の跳ね上げ式門扉の好ましい例では、他の抵抗力発生機構は、アーム手段の他方の方向の回動に基づく他の連結機構の歯車の一方の方向の回転を他の抵抗力発生機構の他方の隙間形成体に伝達するように当該歯車と当該他方の隙間形成体を連結する一方、アーム手段の一方の方向の回動に基づく他の連結機構の歯車の他方の方向の回転により前記連結を解除するように当該歯車と当該他方の隙間形成体との間に介在されている一方向クラッチを具備している。このような好ましい例によれば、完全閉扉直前位置及び完全閉扉位置間における扉の下げ方向の移動に抗する抵抗力を生じさせる一方、当該扉の跳ね上げ方向の移動に抗する抵抗力を生じさせることをなくすことができ、而して、完全閉扉直前位置及び完全閉扉位置間における扉を跳ね上げ方向に円滑に移動させ得る。
【００１５】
本発明の跳ね上げ式門扉の好ましい例では、他の連結機構の歯車は、他の抵抗力発生機構の他方の隙間形成体に固着されていると共に周縁に複数の歯を有している歯車部材と、この歯車部材の歯よりも他の連結機構の歯車の回転方向において変位して配された複数の歯を周縁に有していると共に当該歯車の回転方向において当該歯車部材に対して可動となるように当該歯車部材に隣接している可動歯車部材と、アーム手段の他方の方向の回動に基づく他の連結機構の歯車の回転方向とは逆の回転方向に向かって当該可動歯車部材を弾性的に付勢する付勢手段とを具備している。このような好ましい例によれば、扉の下げ方向の移動において、可動歯車部材を歯車部材に先んじて歯列部材に接触させ、当該可動歯車部材が歯列部材に押圧移動された後に、歯車部材を歯列部材に接触させることで、歯車と歯列部材との衝突音を減少させることができ、また、歯車と歯列部材との接触時におけるこれら各々に対する負担をも軽減させ得る。
【００１６】
本発明の跳ね上げ式門扉の好ましい例では、他の連結機構の歯車の付勢手段は、他の連結機構の歯車の歯車部材及び可動歯車部材のうちの一方に設けられていると共に当該歯車の歯車部材及び可動歯車部材のうちの他方に向かって突出しているピンと、アーム手段の他方の方向の回動に基づく当該歯車の回転方向とは逆の回転方向に向かって当該ピンを弾性的に付勢するように当該歯車部材及び可動歯車部材のうちの他方に設けられている付勢部材とを具備している。
【発明の効果】
【００１７】
本発明によれば、扉を円滑に移動させることができると共に、完全開扉位置における扉の激突を防止し得る跳ね上げ式門扉を提供し得る。
【発明を実施するための最良の形態】
【００１８】
次に本発明を、図に示す好ましい実施の形態の例に基づいて更に詳細に説明する。なお、本発明はこれら例に何等限定されないのである。
【００１９】
図１から図１２において、本例の跳ね上げ式門扉１は、立設された一対の中空の角形の支柱２及び３と、支柱２及び３に一端部３１で鉛直面内でＡ及びＢ方向に回動自在に支持されたアーム手段４及び５と、アーム手段４及び５の他端部３２に取り付けられており、アーム手段４及び５のＡ方向の回動により図２において二点鎖線で示す完全開扉位置に向かって跳ね上げ方向に移動する一方、アーム手段４及び５のＢ方向の回動により図２において実線で示す完全閉扉位置に向かって下げ方向に移動する扉６と、電動モータ７の出力回転軸の回転に基づいてアーム手段４及び５を回動させるアーム回動手段８と、扉６及びアーム手段４及び５の自重に抗する跳ね上げ方向の弾性力としてのＡ方向の弾性力をアーム手段４及び５に付与する弾性力付与手段９と、扉６の完全開扉直前位置から完全開扉位置に向かう跳ね上げ方向の移動に抗する抵抗力を扉６に付与する抵抗力付与手段１０と、扉６の跳ね上げ方向の移動を完全開扉位置において禁止する一方、扉６の下げ方向の移動を完全閉扉位置において禁止する禁止手段１１とを具備している。
【００２０】
支柱２には、本例では、弾性力付与手段９、アーム回動手段８及び抵抗力付与手段１０が収容されており、支柱３には、弾性力付与手段９と同様に構成された弾性力付与手段が収容されているが、この逆であってもよく、また支柱３側にも、アーム回動手段８と同様に構成されたアーム回動手段、抵抗力付与手段１０と同様に構成された抵抗力付与手段を具備していてもよい。尚、支柱３側に設けられている弾性力付与手段（図示せず）は、弾性力付与手段９と同様に構成されているのでその詳細な説明を省略する。
【００２１】
横方向において支柱２側に配設されたアーム手段４は、一端部３１で回動軸３３を介して支柱２に鉛直面内でＡ及びＢ方向に回動自在に装着されていると共に、他端部３２で扉６に固着されている断面矩形状のアーム部材３４を具備している。アーム部材３４は回動軸３３に固着されており、回動軸３３は支柱２に軸受等を介して回動自在に支持されている。横方向において支柱３側に配設されたアーム手段５は、アーム手段４と同様に構成されているのでその詳細な説明を省略する。
【００２２】
扉６は、正面視矩形状の枠体４１と、枠体４１に装着された目隠し用の多数の横格子４２とを具備しているが、例えば横格子４２に代えて、枠体４１に装着された多数の縦格子を具備していてもよい。
【００２３】
アーム回動手段８は、例えば図３に示すように、前記電動モータ７と、電動モータ７の出力回転軸の回転をアーム手段４に伝達する伝達手段７１とを具備している。電動モータ７は、支柱２に装着されている。伝達手段７１は、本例では、電動モータ７の出力回転軸の回転力をＡ方向の回動力としてアーム手段４に伝達し、電動モータ７の出力回転軸の逆方向の回転力をＢ方向の回動力としてアーム手段４に伝達するように電動モータ７とアーム手段４との間に配設されている。
【００２４】
伝達手段７１は、電動モータ７の出力回転軸に連結された回転軸７２と、回転軸７２に設けられたスパイラルギヤ７３及び回動軸３３に固着されていると共にスパイラルギヤ７３に歯合する歯列７４が周縁に形成されている歯車７５を有してなる減速機構７６とを具備している。斯かる伝達手段７１は、電動モータ７の出力回転軸の回転を減速機構７６を介して減速し、回動軸３３にＡ及びＢ方向の回動力として伝達するようになっている。尚、減速機構７６は、歯車７５に代えて、カム板５１のスパイラルギヤ７３側に位置する周縁部に形成された歯列７４を具備していてもよい。
【００２５】
アーム回動手段８は、上述の構成に加えて、アーム手段４及び５のＡ方向の回動により完全開扉位置に向かって移動する扉６の完全開扉直前位置への到来及びアーム手段４及び５のＢ方向の回動により完全閉扉位置に向かって移動する扉６の完全閉扉直前位置への到来を夫々検出する到来検出手段１４を更に具備しており、到来検出手段１４による到来検出に基づいて電動モータ７の作動を制御するようになっている。到来検出手段１４は、例えば図１０に示すように、回動軸３３に固着されていると共に円弧突部８１が一体的に形成された円板８２と、支柱２に取り付けられていると共に、アーム手段４及び５のＡ方向の回動により完全開扉位置に向かって移動する扉６が完全開扉直前位置に到来した際に円弧突部８１に当接して作動することにより当該扉６の完全開扉直前位置への到来を検出するリミットスイッチ８３と、支柱２に取り付けられていると共に、アーム手段４及び５のＢ方向の回動により完全閉扉位置に向かって移動する扉６が完全閉扉位置に到来した際に円弧突部８１に当接して作動することにより当該扉６の完全閉扉直前位置への到来を検出するリミットスイッチ８４とを具備している。リミットスイッチ８３は、本例では、扉６がＡ方向に移動されて完全開扉位置から例えば１０°手前の位置（完全開扉直前位置）に配された際に円弧突部８１に当接して作動すると共に当該作動を扉６が完全開扉位置に至るまで維持するように配設されている。リミットスイッチ８４は、本例では、扉６がＢ方向に移動されて完全閉扉位置から例えば１０°手前の位置（完全閉扉直前位置）に配された際に円弧突部８１に当接して作動すると共に当該作動を扉６が完全閉扉位置に至るまで維持するように配設されている。円弧突部８１との当接によるリミットスイッチ８３及び８４の夫々の作動は扉６の完全開扉直前位置及び完全閉扉直前位置の夫々への到来検出信号として電動モータ７の上述及び後述の作動を制御する制御部（図示せず）に送られる。尚、跳ね上げ式門扉１には、扉６の開扉、閉扉及びこれらの停止を行わせるための操作スイッチ部（図示せず）が設けられている。
【００２６】
弾性力付与手段９は、例えば図３、図４及び図１２に示すように、回動軸３３に固着されたカム板５１と、カム板５１にピンを介して一端部５２が連結され、中間部５３がカム板５１のカム縁５４に当接して曲げ案内され、他端部５５がピンを介して連結具５６に回動自在に連結されたチェーン部材５７と、一端部６１が連結具５６の孔６２に引っ掛けられ、他端部６３が支柱２に取り付けられた連結具６５の孔６６に引っ掛けられたコイルばね６７とを具備している。コイルばね６７は、その縮み弾性力によってＡ方向にカム板５１を回転させるように付勢している。
【００２７】
抵抗力付与手段１０は、例えば図４から図７に示すように、扉６の跳ね上げ方向の移動に抗する抵抗力を生じる抵抗力発生機構２１と、抵抗力発生機構２１に扉６の完全開扉直前位置から完全開扉位置に向かう跳ね上げ方向の移動に抗する抵抗力を生じさせるべく完全開扉直前位置から跳ね上げ方向に移動する扉６と抵抗力発生機構２１とを連結状態にする一方、完全開扉直前位置よりも完全閉扉位置側に位置する扉６と抵抗力発生機構２１とを非連結状態にする連結機構２２とを具備している。
【００２８】
抵抗力発生機構２１は、例えば図５に示すように、支柱２に固着されたハウジングからなる隙間形成体２５と、隙間形成体２５に対して相対的に回転自在であると共に当該隙間形成体２５と協同して隙間２６を形成している複数の円板４９及び軸体５０からなる隙間形成体２７と、隙間形成体２５と隙間形成体２７とによって形成された隙間２６に収容されていると共に当該隙間形成体２７の当該隙間形成体２５に対する相対的な回転により抵抗力を生じる粘性体２８と、アーム手段４のＡ方向の回動に基づく後述の歯車２９のＲ１方向の回転を隙間形成体２７に伝達するように歯車２９と隙間形成体２７を連結する一方、アーム手段４のＢ方向の回動に基づく歯車２９のＲ２方向の回転により前記連結を解除するように歯車２９と隙間形成体２７との間に介在されている一方向クラッチ２４とを具備している。
【００２９】
連結機構２２は、例えば図４から図７に示すように、回転により隙間形成体２７を回転させるように当該隙間形成体２７に取り付けられている歯車２９と、扉６が完全開扉直前位置に位置した際に歯車２９に歯合する一方、扉６が完全開扉直前位置よりも完全閉扉位置側に位置した際に前記歯合が解除されるようにアーム手段４に取り付けられている歯列部材３０とを具備している。歯列部材３０は、扉６の完全開扉直前位置から完全開扉位置に向かう跳ね上げ方向の移動に抗する抵抗力を抵抗力発生機構２１に生じさせるべく、歯車２９との歯合状態においてアーム手段４のＡ方向の回動を回転力として当該歯車２９に伝達するように配されている。
【００３０】
歯車２９は、隙間形成体２７に固着されていると共に周縁に複数の歯３５を有している歯車部材３６と、歯車部材３６の歯３５よりも歯車２９の回転方向において変位して配された複数の歯３７を周縁に有していると共に当該歯車２９の回転方向において歯車部材３６に対して可動となるように当該歯車部材３６に隣接している可動歯車部材３８と、アーム手段４のＡ方向の回動に基づく歯車２９の回転方向（Ｒ１方向）とは逆の回転方向（Ｒ２方向）に向かって可動歯車部材３８を弾性的に付勢する付勢手段３９とを具備している。
【００３１】
付勢手段３９は、歯車部材３６及び可動歯車部材３８のうちの一方、本例では可動歯車部材３８に設けられていると共に歯車部材３６及び可動歯車部材３８のうちの他方、本例では歯車部材３６に向かって突出しているピン４５と、アーム手段４のＡ方向の回動に基づく歯車２９の回転方向（Ｒ１方向）とは逆の回転方向（Ｒ２方向）に向かってピン４５を弾性的に付勢するように歯車部材３６に設けられている付勢部材としてのコイルばね４６とを具備している。コイルばね４６は、歯車部材３６に回転方向に伸びて形成された溝部４７に収容されている。
【００３２】
隙間形成体２５の内部から突出した軸体５０の部位には、一方向クラッチ２４が装着されている。一方向クラッチ２４は、回転方向に関して歯車部材３６に固着されたケース体９１と、一端９２がケース体９１に嵌合されていると共に他端が自由端となっており、ケース体９１の内部において軸体５０の前記部位に巻き回されている弾性拡縮変形可能なコイル部材９３とを具備している。一方向クラッチ２４は、歯車部材３６のＲ１方向の回転に基づいてケース体９１と共にＲ１方向に回転されるコイル部材９３の縮径により当該Ｒ１方向の回転を隙間形成体２７に伝達する一方、歯車部材３６のＲ２方向の回転に基づいてケース体９１と共にＲ２方向に回転されるコイル部材９３の拡径により当該Ｒ２方向の回転を隙間形成体２７に伝達しないようになっている。尚、一方向クラッチ２４は、本例ではコイル部材９３を具備してなるが、例えば、いわゆるワンウェイベアリングからなっていてもよい。
【００３３】
禁止手段１１は、支柱２に形成されていると共に、扉６が完全開扉位置に配された際に当該扉６の跳ね上げ方向の移動を禁止するようにカム板５１に当接する禁止部材としてのストッパ１６と、扉６の下縁に形成されていると共に、扉６が完全閉鎖位置に配された際に当該扉６の下げ方向の移動を禁止するように地面に当接する禁止部材としてのストッパ１７とを具備している。
【００３４】
以下、本例の跳ね上げ式門扉１による動作について説明する。まず、図示しない操作部の操作に基づく電動モータ７の出力回転軸の回転によりアーム手段４をＡ方向に回動させて、完全閉鎖位置にある扉６を跳ね上げ方向に移動させる。斯かる扉６の移動は、弾性力付与手段９による跳ね上げ方向の弾性力によって補助される。アーム手段４のＡ方向の回動によりカム板５１及びチェーン部材５７を介してアーム手段４及び５並びに扉６に付勢されるコイルばね６７の跳ね上げ方向の弾性力は、当該コイルばね６７の縮みにより漸減する。尚、アーム手段５は、本例ではアーム手段４のＡ方向の回動が扉６を介して伝達されることによってＡ方向に回動される。
【００３５】
跳ね上げ方向に移動される扉６が完全開扉直前位置に配されると、円板８２は図１０において実線で示す位置に配されて、円弧突部８１がリミットスイッチ８３に当接し、この当接によりリミットスイッチ８３は作動して扉６の完全開扉直前位置への到来を検出し、アーム回動手段８は当該検出に基づいて電動モータ７の出力回転軸の回転（ｒｐｍ）を低下させる。アーム回動手段８は、跳ね上げ方向に移動させる扉６が完全開扉位置に配されて図１２に示すようにカム板５１がストッパ１６に当接した際に生じる電動モータ７に対する過電流を検知して当該電動モータ７の作動を停止させ、而して、扉６は完全開扉位置で静止される。
【００３６】
跳ね上げ方向に移動される扉６が完全開扉直前位置に配される際には、アーム手段４のＡ方向の回動とともにＡ方向に回動される歯列部材３０の歯４０が図８に示すように可動歯車部材３８の歯３７に接触する。斯かる歯列部材３０のさらなるＡ方向の回動により可動歯車部材３８がコイルばね４６の弾性力に抗してＲ１方向に回転されると、図９に示すように歯列部材３０の歯４０が歯車部材３６の歯３５に接触する。斯かる歯列部材３０の図１１に示すようなさらなるＡ方向の回動により歯車部材３６がＲ１方向に回転されると、この回転が一方向クラッチ２４を介して隙間形成体２７に伝達され、この伝達により隙間形成体２７は隙間形成体２５に対して相対的に回転して、粘性体２８に粘性剪断抵抗力を生じさせ、而して、扉６の完全開扉直前位置から完全開扉位置に向かう跳ね上げ方向の移動は前記粘性剪断抵抗力によって減衰される。
【００３７】
また、図示しない操作部の操作に基づく電動モータ７の出力回転軸の逆回転によりアーム手段４をＢ方向に回動させて、完全開扉位置にある扉６を弾性力付与手段９による跳ね上げ方向の弾性力に抗して下げ方向に移動させる。アーム手段４のＢ方向の回動によりカム板５１及びチェーン部材５７を介してアーム手段４及び５並びに扉６に付勢されるコイルばね６７の跳ね上げ方向の弾性力は、当該コイルばね６７の伸びにより漸増する。尚、アーム手段５は、本例ではアーム手段４のＢ方向の回動が扉６を介して伝達されることによってＢ方向に回動される。
【００３８】
完全開扉位置及び完全開扉直前位置間において扉６が下げ方向に移動される際には、アーム手段４のＢ方向の回動により歯列部材３０がＢ方向に回動され、この回動により歯車２９がＲ２方向に回転されるが、斯かる回転は一方向クラッチ２４を介して隙間形成体２７に伝達されないので、扉６の下げ方向の移動に対する粘性剪断抵抗力は生じない。
【００３９】
下げ方向に移動される扉６が完全閉扉直前位置に配されると、円板８２は図１０において二点鎖線で示す位置に配され、円弧突部８１がリミットスイッチ８４に当接し、この当接によりリミットスイッチ８４は作動して扉６の完全閉扉直前位置への到来を検出し、アーム回動手段８は当該検出に基づいて電動モータ７の出力回転軸の逆回転（ｒｐｍ）を低下させる。アーム回動手段８は、下げ方向に移動させる扉６が完全閉扉位置に配されて図２に実線で示すようにストッパ１７が地面に当接した際に生じる電動モータ７に対する過電流を検知して当該電動モータ７の作動を停止させ、而して、扉６は完全閉扉位置で静止される。
【００４０】
本例の跳ね上げ式門扉１によれば、支柱２及び３と、支柱２及び３に一端部３１で鉛直面内でＡ及びＢ方向に回動自在に支持されたアーム手段４及び５と、アーム手段４及び５の他端部３２に取り付けられており、アーム手段４及び５のＡ方向の回動により完全開扉位置に向かって跳ね上げ方向に移動する一方、アーム手段４及び５のＢ方向の回動により完全閉扉位置に向かって下げ方向に移動する扉６と、扉６の完全開扉直前位置から完全開扉位置に向かう跳ね上げ方向の移動に抗する抵抗力を扉６に付与する抵抗力付与手段１０とを具備しており、抵抗力付与手段１０は、扉６の跳ね上げ方向の移動に抗する抵抗力を生じる抵抗力発生機構２１と、抵抗力発生機構２１に扉６の完全開扉直前位置から完全開扉位置に向かう跳ね上げ方向の移動に抗する抵抗力を生じさせるべく完全開扉直前位置から跳ね上げ方向に移動する扉６と抵抗力発生機構２１とを連結状態にする一方、完全開扉直前位置よりも完全閉扉位置側に位置する扉６と抵抗力発生機構２１とを非連結状態にする連結機構２２とを具備しているために、完全開扉直前位置及び完全閉鎖位置間に位置する扉６と抵抗力発生機構２１とを非連結状態にすることができて、扉６を円滑に移動させることができると共に、完全開扉直前位置から完全開扉位置に向かって跳ね上げ方向に移動する扉６に対して抵抗力発生機構２１による抵抗力を付与することができて、完全開扉位置における扉６のストッパ１６等に対する激突を防止し得る。
【００４１】
跳ね上げ式門扉１によれば、扉６及びアーム手段４及び５の自重に抗する跳ね上げ方向の弾性力をアーム手段４及び５に付与する弾性力付与手段９を具備しているために、扉６をより円滑に移動させることができると共に、弾性力付与手段９により跳ね上げ方向の移動が容易となった扉６のストッパ１６等に対する激突を抵抗力付与手段１０によって防止することができる。
【００４２】
跳ね上げ式門扉１によれば、抵抗力発生機構２１は、一方の隙間形成体２５と、隙間形成体２５に対して相対的に回転自在であると共に当該隙間形成体２５と協同して隙間２６を形成している他方の隙間形成体２７と、隙間形成体２５と隙間形成体２７とによって形成された隙間２６に収容されていると共に当該隙間形成体２７の当該隙間形成体２５に対する相対的な回転により抵抗力を生じる粘性体２８とを具備しており、連結機構２２は、回転により隙間形成体２７を回転させるように当該隙間形成体２７に取り付けられている歯車２９と、扉６が完全開扉直前位置に位置した際に歯車２９に歯合する一方、扉６が完全開扉直前位置よりも完全閉扉位置側に位置した際に前記歯合が解除されるようにアーム手段４及び５、本例ではアーム手段４に取り付けられている歯列部材３０とを具備しており、歯列部材３０は、扉６の完全開扉直前位置から完全開扉位置に向かう跳ね上げ方向の移動に抗する抵抗力を抵抗力発生機構２１に生じさせるべく、歯車２９との歯合状態においてアーム手段４のＡ方向の回動を回転力として当該歯車２９に伝達するように配されているために、扉６の跳ね上げ方向の移動速度に依存した抵抗力を生じさせることができ、而して、完全開扉直前位置から完全開扉位置までにおいても扉６を跳ね上げ方向に円滑に移動させることができると共に、当該扉６の跳ね上げ方向の過度な移動速度に応じた大きな抵抗力を生じさせることができる。
【００４３】
跳ね上げ式門扉１によれば、抵抗力発生機構２１は、アーム手段４のＡ方向の回動に基づく歯車２９のＲ１方向の回転を隙間形成体２７に伝達するように歯車２９と隙間形成体２７を連結する一方、アーム手段４のＢ方向の回動に基づく歯車２９のＲ２方向の回転により前記連結を解除するように歯車２９と隙間形成体２７との間に介在されている一方向クラッチ２４を具備しているために、完全開扉直前位置及び完全開扉位置間における扉６の跳ね上げ方向の移動に抗する抵抗力を生じさせる一方、当該扉６の下げ方向の移動に抗する抵抗力を生じさせることをなくすことができ、而して、完全開扉直前位置及び完全開扉位置間における扉６を下げ方向に円滑に移動させ得る。
【００４４】
跳ね上げ式門扉１によれば、歯車２９は、隙間形成体２７に固着されていると共に周縁に複数の歯３５を有している歯車部材３６と、歯車部材３６の歯３５よりも歯車２９の回転方向において変位して配された複数の歯３７を周縁に有していると共に当該歯車２９の回転方向において歯車部材３６に対して可動となるように当該歯車部材３６に隣接している可動歯車部材３８と、アーム手段４のＡ方向の回動に基づく歯車２９の回転方向（Ｒ１方向）とは逆の回転方向（Ｒ２方向）に向かって可動歯車部材３８を弾性的に付勢する付勢手段３９とを具備しているために、扉６の跳ね上げ方向の移動において、可動歯車部材３８を歯車部材３６に先んじて歯列部材３０に接触させ、当該可動歯車部材３８が歯列部材３０に押圧移動された後に、歯車部材３６を歯列部材３０に接触させることで、歯車２９と歯列部材３０との衝突音を減少させることができ、また、歯車２９と歯列部材３０との接触時におけるこれら各々に対する負担をも軽減させ得る。
【００４５】
尚、跳ね上げ式門扉１の抵抗力付与手段１０は、図示しないが、扉６の下げ方向の移動に抗する抵抗力を生じる他の抵抗力発生機構と、この他の抵抗力発生機構に扉６の完全閉扉直前位置から完全閉扉位置に向かう下げ方向の移動に抗する抵抗力を生じさせるべく完全閉扉直前位置から下げ方向に移動する扉６と他の抵抗力発生機構とを連結状態にする一方、完全閉扉直前位置よりも完全開扉位置側に位置する扉６と他の抵抗力発生機構とを非連結状態にする他の連結機構とを更に具備していてもよく、他の抵抗力発生機構は、抵抗力発生機構２１と略同様に構成されており、一方の隙間形成体と、この一方の隙間形成体に対して相対的に回転自在であると共に当該一方の隙間形成体と協同して隙間を形成している他方の隙間形成体と、他の抵抗力発生機構の一方の隙間形成体と他の抵抗力発生機構の他方の隙間形成体とによって形成された隙間に収容されていると共に当該他方の隙間形成体の当該一方の隙間形成体に対する相対的な回転により抵抗力を生じる粘性体とを具備しており、他の連結機構は、連結機構２２と略同様に構成されており、回転により他の抵抗力発生機構の他方の隙間形成体を回転させるように当該他方の隙間形成体に取り付けられている歯車と、扉が完全閉扉直前位置に位置した際に他の連結機構の歯車に歯合する一方、扉が完全閉扉直前位置よりも完全開扉位置側に位置した際に前記歯合が解除されるようにアーム手段４に取り付けられている歯列部材とを具備しており、他の連結機構の歯列部材は、扉の完全閉扉直前位置から完全閉扉位置に向かう下げ方向の移動に抗する抵抗力を他の抵抗力発生機構に生じさせるべく、他の連結機構の歯車との歯合状態においてアーム手段４のＢ方向の回動を回転力として当該歯車に伝達するように配されている。斯かる跳ね上げ式門扉１によれば、完全閉扉直前位置及び完全開扉位置間に位置する扉６と他の抵抗力発生機構とを非連結状態にすることができて、扉６を円滑に移動させることができると共に、完全閉扉直前位置から完全閉扉位置に向かって下げ方向に移動する扉６に対して他の抵抗力発生機構による抵抗力を付与することができて、完全閉扉位置における扉６の地面等に対する激突を防止し得、しかも、扉６の下げ方向の移動速度に依存した抵抗力を生じさせることができ、完全閉扉直前位置から完全閉扉位置までにおいても扉６を下げ方向に円滑に移動させることができると共に、当該扉６の下げ方向の過度な移動速度に応じた大きな抵抗力を生じさせることができる。
【００４６】
上記の他の抵抗力発生機構は、アーム手段４のＢ方向の回動に基づく他の連結機構の歯車の一方の方向の回転を他の抵抗力発生機構の他方の隙間形成体に伝達するように当該歯車と当該他方の隙間形成体を連結する一方、アーム手段４のＡ方向の回動に基づく他の連結機構の歯車の他方の方向の回転により前記連結を解除するように当該歯車と当該他方の隙間形成体との間に介在されている一方向クラッチを具備していてもよく、斯かる場合には、完全閉扉直前位置及び完全閉扉位置間における扉６の下げ方向の移動に抗する抵抗力を生じさせる一方、当該扉６の跳ね上げ方向の移動に抗する抵抗力を生じさせることをなくすことができ、而して、完全閉扉直前位置及び完全閉扉位置間における扉６を跳ね上げ方向に円滑に移動させ得る。
【００４７】
上記の他の連結機構の歯車は、他の抵抗力発生機構の他方の隙間形成体に固着されていると共に周縁に複数の歯を有している歯車部材と、この歯車部材の歯よりも他の連結機構の歯車の回転方向において変位して配された複数の歯を周縁に有していると共に当該歯車の回転方向において当該歯車部材に対して可動となるように当該歯車部材に隣接している可動歯車部材と、アーム手段のＢ方向の回動に基づく他の連結機構の歯車の回転方向とは逆の回転方向に向かって当該可動歯車部材を弾性的に付勢する付勢手段とを具備していてもよく、斯かる場合には、扉６の下げ方向の移動において、可動歯車部材を歯車部材に先んじて歯列部材に接触させ、当該可動歯車部材が歯列部材に押圧移動された後に、歯車部材を歯列部材に接触させることで、歯車と歯列部材との衝突音を減少させることができ、また、歯車と歯列部材との接触時におけるこれら各々に対する負担をも軽減させ得る。
【００４８】
上記の他の連結機構の歯車の付勢手段は、他の連結機構の歯車の歯車部材及び可動歯車部材のうちの一方に設けられていると共に当該歯車の歯車部材及び可動歯車部材のうちの他方に向かって突出しているピンと、アーム手段４のＢ方向の回動に基づく当該歯車の回転方向とは逆の回転方向に向かって当該ピンを弾性的に付勢するように当該歯車部材及び可動歯車部材のうちの他方に設けられているコイルばね等からなる付勢部材とを具備していてもよい。
【００４９】
尚、跳ね上げ式門扉１は、例えば禁止手段１１に代えて、例えば図１３に示すように、カム板５１にＡ及びＢ方向に伸びて形成された長孔９７と、長孔９７に配されたストッパ９８とを具備してなる禁止手段９９を具備していてもよく、斯かる禁止手段９９は、扉６が完全開扉位置に配された際にストッパ９８が長孔９７の一端１０１に当接することによって当該扉６の跳ね上げ方向の移動を禁止する一方、扉６が完全閉鎖位置に配された際にストッパ９８が長孔９７の他端１０２に当接することによって当該扉６の下げ方向の移動を禁止するようになっている。また、跳ね上げ式門扉１は、アーム回動手段８を具備しているが、手動により扉６を跳ね上げ方向及び下げ方向に移動可能に構成されていてもよく、また、斯かるアーム回動手段８の構成を省略して、手動のみにより扉６を跳ね上げ方向及び下げ方向に移動されるように構成されていてもよい。加えて、弾性力付与手段９は、扉６が完全開扉位置に位置する際において扉６及びアーム手段４及び５の自重に基づく扉６の下げ方向の移動力を上回る跳ね上げ方向の弾性力をアーム手段４に付与するように当該アーム手段４に連結されているコイルばね６７を具備していてもよい。
【図面の簡単な説明】
【００５０】
【図１】本発明の実施の形態の例の斜視説明図である。
【図２】図１に示す例の側面視説明図である。
【図３】図１に示す例の主に支柱の側面視断面説明図である。
【図４】図１に示す例の主に支柱の平面視断面説明図である。
【図５】図１に示す例の主に抵抗力付与手段の断面説明図である。
【図６】図１に示す例の主に抵抗力付与手段の説明図である。
【図７】図１に示す例の主に抵抗力付与手段の説明図である。
【図８】図１に示す例の主に抵抗力付与手段の動作説明図である。
【図９】図１に示す例の主に抵抗力付与手段の動作説明図である。
【図１０】図１に示す例の主に到来検出手段の説明図である。
【図１１】図１に示す例の主に抵抗力付与手段の動作説明図である。
【図１２】図１に示す例の動作説明図である。
【図１３】本発明の実施の形態の他の例の側面視断面説明図である。
【符号の説明】
【００５１】
１  跳ね上げ式門扉
２、３  支柱
４、５  アーム手段
６  扉
１０  抵抗力付与手段
２１  抵抗力発生機構
２２  連結機構
【図１】
2010037862.tif 000003
【図２】
2010037862.tif 000004
【図３】
2010037862.tif 000005
【図４】
2010037862.tif 000006
【図５】
2010037862.tif 000007
【図６】
2010037862.tif 000008
【図７】
2010037862.tif 000009
【図８】
2010037862.tif 000010
【図９】
2010037862.tif 000011
【図１０】
2010037862.tif 000012
【図１１】
2010037862.tif 000013
【図１２】
2010037862.tif 000014
【図１３】
2010037862.tif 000015